(57)【特許請求の範囲】
【請求項１】
注目する対象の状態を検出可能な検出手段によって検出された検出結果と所定の判定条件とに基づいて、前記注目する対象の状態が通知すべき状態か否かを判定する状態判定手段と、
前記状態判定手段の判定結果に応じて、通知すべき情報を示す通知情報を含む通信情報を生成する第１の通信情報生成手段と、
第１の無線通信ネットワークを構成する第１の無線通信手段と、
を有する第１の通信装置と、
前記通信情報に含まれる前記通知情報と、該通知情報と前記注目する対象の状態に関する提示情報を提示すべき対象装置を識別可能な情報とが関連付けられた情報を含む端末情報と、に基づいて、前記提示情報を生成し、その提示情報を、ユーザが認識可能な態様によって提示するよう提示手段を制御する提示情報生成手段と、
前記第１の無線通信ネットワークとは異なる第２の無線通信ネットワークを構成する第２の無線通信手段と、
を有する第２の通信装置と、を備え、
前記第１の通信装置の前記状態判定手段は、前記検出結果に基づいて、前記判定条件と前記通知情報とが関連付けられた情報を含む条件情報を参照し、前記検出結果が前記判定条件に該当するか否かを判別し、前記検出結果が前記判定条件に該当すると判断した場合には、前記注目する対象の状態が通知すべき状態であると判定し、
前記第１の通信装置の前記第１の通信情報生成手段は、前記状態判定手段の判定結果に応じて、通知すべき情報を示す前記通知情報を含む前記通信情報を、前記第１の無線通信手段を介して送信し、
前記第２の通信装置の前記提示情報生成手段は、前記第１の無線通信手段によって前記第１の無線通信ネットワークに送出された前記通信情報を、前記第２の無線通信手段によって受信し、
前記第２の通信装置は、受信した前記通信情報に含まれる前記通知情報と前記提示情報を提示すべき前記対象装置を識別可能な情報とが関連付けられた情報を含む前記端末情報とを参照し、その端末情報の中に前記通信情報に含まれる通知すべき前記通知情報が存在するか否かを判別すると共に、前記通知情報が存在すると判断した場合には、前記端末情報の中から該通知情報に関連付けられた前記対象装置を識別可能な情報を求め、求めた前記対象装置を識別可能な情報を前記提示情報生成手段に対して与える対象判定手段をさらに有し、
前記提示情報生成手段は、前記対象判定手段からの、前記対象装置を識別可能な情報に基づいて、前記提示情報を、ユーザが認識可能な態様によって、該対象装置に提示するよう前記提示手段を制御し、
前記第１の通信装置は、前記通知情報の更新を要求されるのに応じて、その要求に基づき前記条件情報に含まれる前記通知情報を更新する第１の更新手段をさらに有し、前記第１の通信情報生成手段により、前記通知情報の更新内容を示す情報と、前記通信情報が通知情報の更新を指示する通知であることを示す更新通知情報とを含む通信情報を生成し、生成した前記通信情報を前記第１の無線通信手段を介して前記第２の通信装置に送信し、
前記第２の通信装置は、前記第２の無線通信手段を介して受信した前記通信情報に含まれる前記更新通知情報に基づいて、前記端末情報に含まれる前記通知情報を更新するか否かを判定する更新判定手段と、前記更新判定手段が前記通知情報を更新すると判断した場合には、前記更新内容を示す情報に基づき前記端末情報に含まれる前記通知情報を更新する第２の更新手段と、をさらに有する通信システム。
【請求項２】
前記第１の通信装置の前記第１の通信情報生成手段は、前記通信情報を転送すべき制限回数を示す転送情報を、さらに含む前記通信情報を生成し、
前記第２の通信装置は、受信した前記通信情報に含まれる前記転送情報に基づいて、該通信情報を転送するか否かを判定する転送判定手段と通知すべき情報を示す通知情報を含む通信情報を生成する第２の通信情報生成手段とを、さらに有し、
前記第２の通信情報生成手段は、
前記転送判定手段が前記通信情報を転送すると判断した場合には、前記制限回数に基づき求めた制限回数を示す転送情報と前記通知情報とを含む前記通信情報を生成する
請求項１に記載の通信システム。
【請求項３】
前記通信情報は、無線通信アクセスポイントによって出力されるビーコンである
請求項１または請求項２に記載の通信システム。
【発明の詳細な説明】
【技術分野】
【０００１】
本発明は、異なる通信ネットワーク間において情報を送受信する技術分野に関する。
【背景技術】
【０００２】
近年、高齢者人口の増加に伴い、例えば、通信ネットワーク技術を利用して一人暮らしの高齢者を見守るシステムが注目されている。より具体的に、例えば、当該システムは、身につけることが可能なウェアブルセンサ、或いは、住宅内に設けられた振動や圧力等を検出可能な各種センサ等による検出結果に基づいて、高齢者の健康状態を示す情報を求める。システムは、求めた高齢者の健康状態を示す情報を、例えば、遠方に住む家族に通知することができる。即ち、システムは、当該健康状態を示す情報を、同一の通信ネットワーク（以下、本願では、単に、「ネットワーク」と称する）と通信接続が確立されているデバイスに対して通知することができる。
【０００３】
上述した技術は、高齢者の健康状態を通知するだけでなく、例えば、トラック等の車両やその車両に積載された荷物等を含む移動体の状態を通知する分野においても利用されている。例えば、関連する技術として、特許文献１は、無線送受信装置及び移動体管理システムに関する技術を開示する。無線送受信装置は、無線ＬＡＮ（Ｌｏｃａｌ  Ａｒｅａ  Ｎｅｔｗｏｒｋ）アクセスポイントの通信可能な範囲内において、被計測対象物である移動体に関する情報を含む各種情報を、定期的に無線送信する。即ち、無線送受信装置は、各種情報を、データサーバに対して送信する。当該各種情報としては、センサから得たセンサ情報、無線送受信装置の位置を表す位置情報及び時刻を表す時刻情報である。これにより、データサーバは、無線送受信装置から得た被計測対象物に関する情報を蓄積することができる。また、利用者は、ネットワークを介してデータサーバにアクセスすることによって、被計測対象物の状態を表す情報を参照することができる。
【０００４】
ネットワーク技術を利用する関連技術は、特許文献１だけでなく、例えば、特許文献２乃至特許文献４がある。
【０００５】
特許文献２は、無線通信装置に関する技術を開示する。無線通信装置は、振動を検出するセンサ部によって検出された検出結果に基づいて、自装置を保有する利用者が移動しているか否かを判別する。そして、無線通信装置は、利用者が移動していると判断した場合には、自装置の動作状態を、電波を発信しない状態に変更する。これにより、無線通信装置は、利用者の位置に応じて、電波の放出を制御することができる。
【０００６】
特許文献３は、無線ＬＡＮ通信機器に関する技術を開示する。無線ＬＡＮ通信機器は、固定局との間においてデータ通信する場合に、バッテリーから無線ＬＡＮ送受信部へ電源を供給するよう制御する。その一方で、無線ＬＡＮ通信機器は、当該データ通信が完了した場合には、無線ＬＡＮ送受信部への電源供給を制限するよう制御する。そして、無線ＬＡＮ通信機器は、無線ＬＡＮ送受信部を低消費電力の状態において待機させる。無線ＬＡＮ通信機器は、その待機状態において、固定局から送信される特定周波数のビーコンに基づき生成されたトリガ信号を受信するのに応じて、電源供給を再開する。このように、特許文献３に開示された技術は、無線ＬＡＮ通信機器が消費する電力を削減することができる。
【０００７】
特許文献４は、無線ネットワークのアクセスポイントに関する技術を開示する。当該アクセスポイントは、高周波信号（ビーコン）の送受信以外の要素によって、無線端末装置の接近を検出する端末検出部と、端末検出部が無線端末装置を検出していないとき、無線端末装置との間における通信機能を停止させる制御部とを備える。これにより、アクセスポイントは、不要な電波を出力することを抑制することができる。その結果、アクセスポイントは、無線端末装置との間において通信の輻輳や混信を防止することができる。
【先行技術文献】
【特許文献】
【０００８】
【特許文献１】特開２０１１−１０９２９０号公報
【特許文献２】特開２０１０−０８７７２４号公報
【特許文献３】特開２０１２−２２７８４９号公報
【特許文献４】特開２０１２−１１４７０６号公報
【発明の概要】
【発明が解決しようとする課題】
【０００９】
上述した健康状態を通知するシステムは、その健康状態を示す情報を、同一のネットワーク内、或いはそのネットワークと接続の確立されているデバイスに対して通知する。即ち、当該システムでは、当該デバイスだけに健康状態を示す情報を通知することとなる。例えば、以下の説明では、ウェアラブルセンサによって、異常な健康状態を検出した場合の課題について説明する。当該システムは、遠方に住む家族が有するデバイスと、同一のネットワークにおいて予め通信接続が確立されている。そのため、システムは、当該デバイスに対して異常な状態を示す情報を通知することが可能である。しかしながら、例えば、高齢者の住宅と隣接する住宅に設けられたネットワーク内のデバイスに対しては、異常な状態を示す情報は通知されない。
【００１０】
また、一例として、以下の説明では、火災等の緊急事態を検出するセンサによって異常を検出した（即ち、火災が発生したことを検出した）場合の課題について説明する。その場合に、例えば、火災が発生した住宅の住民が所有するデバイスや遠隔において監視する監視システム等には、異常な状態を示す情報が通知される。しかしながら、火災が発生した住宅と隣接する住宅に設けられたネットワーク内のデバイスに対しては、異常な状態を示す情報は通知されない。
【００１１】
このように、発生した事象に対して速やかに対処が必要となる緊急事態において、当該システムは、異常な状態を示す情報を、異なるネットワーク間において通知することが考慮されていない。そのため、システムは、緊急時であっても、異常な状態を示す情報を、例えば、隣接する住宅の住民に対して通知することができない虞がある。
【００１２】
特許文献１に開示された無線送受信装置は、センサによって検出された情報をデータサーバに送信する。データサーバは、無線送受信装置から得た移動体に関する情報を蓄積する。これにより、利用者は、移動体の状態を表す情報を、データサーバにアクセスすることによって参照することができる。このように、特許文献１には、利用者がアクセスすることによって、移動体の状態を表す情報を参照することが記載されているに留まる。即ち、特許文献１は、移動体の状態を表す情報を、隣接するネットワーク内に位置するデバイスに対して提示することについて、考慮されておらず何ら述べられていない。
【００１３】
特許文献２には、利用者の位置に応じて、無線通信装置の動作状態を変更することが記載されているに留まる。また、特許文献３には、無線ＬＡＮ通信機器の稼働状況に応じて、電力の供給を制御する技術が記載されているに留まる。特許文献４には、アクセスポイントと、無線端末装置との間において通信の輻輳や混信を防止することが記載されているに留まる。即ち、特許文献１乃至特許文献４では、上述した課題を解決することができない。
【００１４】
本発明は、異なる無線通信ネットワーク間であっても、提示すべき対象に対して情報の提示が必要な場合には、比較的簡単な処理構成によって、当該無線通信ネットワーク間において所望する情報を送受信すると共に、当該対象に、その所望する情報を提示することが可能な通信システム等を提供することを主たる目的とする。
【課題を解決するための手段】
【００１５】
上記の課題を達成すべく、本発明の一態様に係る通信システムは、以下の構成を備える。
【００１６】
即ち、本発明の一態様に係る通信システムは、
注目する対象の状態を検出可能な検出手段によって検出された検出結果と所定の判定条件とに基づいて、前記注目する対象の状態が通知すべき状態か否かを判定する状態判定手段と、
前記状態判定手段の判定結果に応じて、通知すべき情報を示す通知情報を含む通信情報を生成する第１の通信情報生成手段と、
前記通信情報に含まれる前記通知情報に基づいて、前記注目する対象の状態に関する提示情報を生成し、その提示情報を、ユーザが認識可能な態様によって提示するよう提示手段を制御する提示情報生成手段と、
第１の無線通信ネットワークを構成する第１の無線通信手段と、
前記第１の無線通信ネットワークと異なる第２の無線通信ネットワークを構成する第２の無線通信手段と、を備え、
前記第１の通信情報生成手段は、
前記通信情報を、前記第１の通信手段を介して送信し、
前記提示情報生成手段は、
前記第１の無線通信手段によって前記第１の無線通信ネットワークに送出された前記通信情報を、前記第２の通信手段によって受信する。
【００１７】
同目的を達成すべく、本発明の一態様に係る送信装置は、以下の構成を備える。
【００１８】
即ち、本発明の一態様に係る送信装置は、
注目する対象の状態を検出可能な検出手段によって検出された検出結果と所定の判定条件とに基づいて、前記注目する対象の状態が通知すべき状態か否かを判定する状態判定手段と、
前記状態判定手段の判定結果に応じて、通知すべき情報を示す通知情報を含む通信情報を生成する第１の通信情報生成手段と、
第１の無線通信ネットワークを構成する第１の無線通信手段と、を備え、
前記第１の通信情報生成手段は、
前記通信情報を、前記第１の通信手段を介して送信する。
【００１９】
或いは、同目的を達成すべく、本発明の一態様に係る受信装置は、以下の構成を備える。
【００２０】
即ち、本発明の一態様に係る受信装置は、
第１の無線通信ネットワークと異なる第２の無線通信ネットワークを構成する第２の無線通信手段と、
前記第１の無線通信ネットワークに送出された通信情報を、前記第２の通信手段によって受信し、受信した通信情報に含まれる通知すべき情報を示す通知情報に基づいて、注目する対象の状態に関する提示情報を生成し、その提示情報を、ユーザが認識可能な態様によって提示するよう提示手段を制御する提示情報生成手段と、を備える。
【００２１】
また、同目的を達成すべく、本発明の一態様に係る情報提示方法は、以下の構成を備える。
【００２２】
即ち、本発明の一態様に係る情報提示方法は、
注目する対象の状態を検出可能な検出手段によって検出された検出結果と所定の判定条件とに基づいて、前記注目する対象の状態が通知すべき状態か否かを判定し、
該判定の結果に応じて、通知すべき情報を示す通知情報を含む通信情報を生成し、該通信情報を、第１の無線通信ネットワークを構成する第１の無線通信手段を介して送信し、
前記第１の無線通信手段によって前記第１の無線通信ネットワークに送出された通信情報を、前記第１の無線通信ネットワークと異なる第２の無線通信ネットワークを構成する第２の無線通信手段によって受信し、受信した前記通信情報に含まれる前記通知情報に基づいて、前記注目する対象の状態に関する提示情報を生成し、その提示情報を、ユーザが認識可能な態様によって提示するよう提示手段を制御する。
【００２３】
尚、同目的は、上記の各構成を有する通信システム、送信装置、受信装置及び情報提示方法を、コンピュータによって実現するコンピュータ・プログラム、及びそのコンピュータ・プログラムが格納されている、コンピュータ読み取り可能な記録媒体によっても達成される。
【発明の効果】
【００２４】
本発明によれば、異なる無線通信ネットワーク間であっても、提示すべき対象に対して情報の提示が必要な場合には、比較的簡単な処理構成によって、当該無線通信ネットワーク間において所望する情報を送受信すると共に、当該対象に、その所望する情報を提示することが可能な通信システム等を提供することができる。
【図面の簡単な説明】
【００２５】
【図１】本発明の第１の実施形態における通信システムの構成を示すブロック図である。
【図２】本発明の第２の実施形態における通信システムの構成を示すブロック図である。
【図３】本発明の第２の実施形態における条件情報を具体的に例示する図である。
【図４】本発明の第２の実施形態における端末情報を具体的に例示する図である。
【図５】本発明の第２の実施形態における通信システムのうち一方の通信装置が通信情報を送信する際の動作を示すフローチャートである。
【図６】本発明の第２の実施形態における通信システムのうち他方の通信装置が通信情報を受信した際の動作を示すフローチャートである。
【図７】本発明の第３の実施形態における通信システムの構成を示すブロック図である。
【図８】本発明の第３の実施形態における通信システムが通信情報を転送する動作を示すフローチャートである。
【図９】本発明の第４の実施形態における通信システムの構成を示すブロック図である。
【図１０】本発明の第４の実施形態における通信装置が通知情報を更新するよう要求された際の動作を示すフローチャートである。
【図１１】本発明の第４の実施形態における通信装置が通信情報を受信した際の動作を示すフローチャートである。
【図１２】各実施形態の通信システムにおいて、少なくとも状態判定部などの各部の機能を実現可能な情報処理装置のハードウェア構成を例示的に説明するブロック図である。
【発明を実施するための形態】
【００２６】
以下、本発明の実施形態について図面を参照して詳細に説明する。
【００２７】
＜第１の実施形態＞
図１は、本発明の第１の実施形態における通信システム１の構成を示すブロック図である。
【００２８】
図１において、通信システム１は、第１の通信装置である通信装置（送信装置）２及び第２の通信装置である通信装置（受信装置）３を有する。
【００２９】
以下の説明において、通信装置２と通信装置３とは、互いに異なる無線通信ネットワークを構成することとする。また、通信装置３は、通信装置２の通信可能な範囲内に位置することとする。
【００３０】
より具体的に、通信装置２は、第１の無線通信ネットワークを構成することとする。即ち、通信装置２において、無線通信部（第１の無線通信部）６は、第１の無線通信ネットワークを構成することとする。また、通信装置３は、第２の無線通信ネットワークを構成することとする。即ち、通信装置３において、無線通信部（第２の無線通信部）８は、第２の無線通信ネットワークを構成することとする（以下の実施形態においても同様）。
【００３１】
尚、一例として、図１の点線によって示すように、通信装置２と通信装置３とは、情報の提示が必要でない場合であっても、通信ネットワークを介して通信可能に接続する構成を採用してもよい。
【００３２】
通信装置２は、状態判定部４、通信情報生成部（第１の通信情報生成部）５及び無線通信部６を備える。通信装置３は、提示情報生成部７及び無線通信部８を備える。尚、通信装置３は、提示部１１を含む構成を採用してもよい。
【００３３】
以下の説明では、説明をよりわかりやすくすることを目的として、例えば、通信装置２と通信装置３とは、それぞれ異なる構成を図示することとする。しかしながら本発明に係る実施形態は、係る構成に限定されない。通信装置２と通信装置３とは、状態判定部４、通信情報生成部５及び提示情報生成部７を備える構成を採用してもよい。即ち、通信装置２と通信装置３とは、同一の構成を備えていてもよい（以下の実施形態においても同様）。
【００３４】
状態判定部４は、注目する対象の状態を検出可能な検出部１０によって検出された注目する対象の状態を示す検出結果と所定の判定条件とに基づいて、注目する対象の状態が通知すべき状態か否かを判定する。
【００３５】
より具体的に、状態判定部４は、当該検出結果が所定の判定条件に該当するか否かを判別する。即ち、状態判定部４は、検出結果と所定の判定条件とを比較する。その結果、状態判定部４は、検出結果が所定の判定条件を満たすか否かを判別する。状態判定部４は、検出結果が所定の判定条件に該当すると判断した場合に、注目する対象の状態が通知すべき状態であると判定する。
【００３６】
所定の判定条件には、管理者によって予め設定された条件を採用してもよい。或いは、所定の判定条件は、第２の実施形態において後述する条件情報２５から得た判定条件を採用してもよい。
【００３７】
注目する対象とは、例えば、見守り、または安否確認の対象である高齢者や子供等を含む人物及びペット等である。或いは、注目する対象は、住宅や各種建物等の施設であってもよい。但し、本実施形態を例に説明する本発明は、前述した構成には限定されない（以下、各実施形態においても同様）。
【００３８】
検出部１０は、注目する対象の状態を検出する。検出部１０は、検出結果を状態判定部４に対して出力する。検出部１０は、説明の便宜上、例えば、通信装置２に帰属していることとする。
【００３９】
尚、本実施形態では、説明の便宜上、一例として、検出部１０は、通信装置２に帰属する構成を例に説明する。しかしながら本発明に係る実施形態は、係る構成に限定されない。検出部１０は、通信装置２が備える構成を採用してもよい。即ち、通信装置２は、検出部１０の機能を有する構成を採用してもよい。
【００４０】
第１の通信情報生成部である通信情報生成部５は、状態判定部４の判定結果に応じて、少なくとも通知すべき情報を示す通知情報を含む通信情報を生成する。通信情報生成部５は、生成した通信情報を、第１の無線通信ネットワークを構成する無線通信部６を介して送信する。即ち、通信情報生成部５は、当該通信情報を、無線通信部６の通信可能な範囲内に送信する。換言すると、通信情報生成部５は、当該通信情報を、無線通信部６を介して第１の無線通信ネットワークに送出する。
【００４１】
通信情報は、例えば、異なる無線通信ネットワーク間であっても送受信することが可能なビーコンパケット（以下、本願では、単に、「ビーコン」と称する）を採用してもよい。即ち、本実施形態において、通信情報には、例えば、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１によって定義されたビーコンを採用することとする。
【００４２】
このような構成を有する通信装置２及び通信装置３において、通信装置３は、通信装置２の通信可能な範囲内に位置する。そのため、通信装置３の無線通信部８は、通信装置２の無線通信部６によって第１の無線通信ネットワークに送出された通信情報を受信することができる。
【００４３】
尚、無線通信部６及び無線通信部８がビーコンを送受信する技術については、現在では一般的な技術を採用することができる。そのため、本実施形態における詳細な説明は省略する（以下、各実施形態においても同様）。
【００４４】
通信装置３が有する提示情報生成部７は、第１の無線通信ネットワークと異なる第２の無線通信ネットワークを構成する無線通信部８を介して通信装置２側から受信した通信情報に基づいて、注目する対象の状態に関する提示情報を生成する。即ち、提示情報生成部７は、無線通信部６によって第１の無線通信ネットワークに送出された通信情報を、無線通信部８によって受信する。提示情報生成部７は、受信した通信情報に基づいて、提示部１１が提示可能なように注目する対象の状態に関する提示情報を生成する。提示情報生成部７は、生成した提示情報を、ユーザが認識可能な態様によって提示するよう提示部１１を制御する。
【００４５】
より具体的に、提示情報生成部７は、無線通信部８を介して通信情報生成部５から得た通信情報を解析する。また、提示情報生成部７は、解析した結果、通信情報に含まれる通知情報を抽出する。提示情報生成部７は、通知情報に基づいて、提示部１１が提示可能なように注目する対象の状態に関する情報を表す提示情報を生成してもよい。
【００４６】
提示部１１は、生成された注目する対象の状態に関する情報である提示情報を、ユーザが認識可能な態様によって提示する。
【００４７】
より具体的に、一例として、提示部１１は、係る提示情報を、ディスプレイなどのユーザインタフェース（不図示）にユーザが識別可能な態様によって提示してもよい。また、提示部１１は、当該提示情報を、ＬＥＤ（Ｌｉｇｈｔ  Ｅｍｉｔｔｉｎｇ  Ｄｉｏｄｅ）などを点灯することによりユーザが識別可能な態様によって提示してもよい。或いは、提示部１１は、当該提示情報を、音によってユーザが識別可能な態様によって提示してもよい。他の提示手段については、後述する実施形態において説明する。
【００４８】
このように本実施の形態に係る通信システム１によれば、異なる無線通信ネットワーク間であっても、提示すべき対象に対して情報の提示が必要な場合には、比較的簡単な処理構成によって、当該無線通信ネットワーク間において所望する情報を送受信すると共に、当該対象に、その所望する情報を提示することができる。その理由は、以下に述べる通りである。
【００４９】
即ち、通信装置２は、状態判定部４、通信情報生成部５及び無線通信部６を備えるからである。即ち、状態判定部４は、検出部１０の検出結果と判定条件とに基づいて、注目する対象の状態が通知すべき状態か否かを判定する。通信情報生成部５は、状態判定部４による判定結果に応じて、通知情報を含む通信情報を、無線通信部６を介して送信する。無線通信部６は、通信情報を、第１の無線通信ネットワークに送出することができるからである。また、通信装置３は、提示情報生成部７及び無線通信部８を備えるからである。即ち、無線通信部８は、第１の無線通信ネットワークに送出された通信情報を受信する。提示情報生成部７は、無線通信部８によって通信装置２側から受信した通信情報に基づいて、注目する対象の状態に関する提示情報を生成する。また、提示情報生成部７は、生成した提示情報を、ユーザが認識可能な態様によって提示するよう提示部１１を制御することができるからである。
【００５０】
このように、通信装置２は、通知情報を含む通信情報を、自装置の通信可能な範囲内に送信する。これによって、通信装置２の通信範囲内に位置する通信装置３は、通信情報を、受信することができる。その結果、通信装置３は、注目する対象の状態に関する情報である提示情報を、ユーザに提示することができるからである。
【００５１】
換言すると、例えば、緊急時において、通信装置２は、提示したい（通知したい）情報等を、自装置が構成する無線通信ネットワークと異なる無線通信ネットワークを構成するデバイス（通信装置３）に対して提示することができる。即ち、通信装置２は、隣接する当該他の無線通信ネットワークを構成するデバイスに対して提示することができる。その結果、通信装置２は、当該情報を、予め接続の確立しているデバイスだけでなく、自装置の通信範囲内に位置するデバイスに対して提示することができる。即ち、通信装置２は、より広い範囲において情報を提示することができるからである。
【００５２】
＜第２の実施形態＞
次に、上述した本発明の第１の実施形態に係る通信システム１を基本とする第２の実施形態について説明する。以下の説明においては、本実施形態に係る特徴的な部分を中心に説明する。その際、上述した実施形態と同様な構成については、同一の参照番号を付すことにより、重複する説明は省略する。
【００５３】
本発明の第２の実施形態における通信システム２１について、図２乃至図６を参照して説明する。
【００５４】
図２は、本発明の第２の実施形態における通信システム２１の構成を示すブロック図である。
【００５５】
図２において、通信システム２１は、第１の通信装置である通信装置２２及び第２の通信装置である通信装置２３を有する。
【００５６】
通信装置２２は、状態判定部２４、通信情報生成部５、無線通信部６及び条件情報２５を備える。通信装置２３は、対象判定部２６、端末情報２７、提示情報生成部２８、無線通信部８及び提示部１１を備える。
【００５７】
状態判定部２４は、検出部１０によって検出された検出結果と条件情報２５とに基づいて、注目する対象の状態が通知すべき状態か否かを判定する。
【００５８】
より具体的に、状態判定部２４は、検出結果に含まれる検出部１０を識別可能な情報に基づいて、条件情報２５を参照する（条件情報２５については、本実施形態において後述する）。状態判定部２４は、条件情報２５の中から検出部１０を識別可能な情報に関連付けられた通知情報と判定条件とを求める。
【００５９】
状態判定部２４は、検出結果と、求めた判定条件とに基づいて、検出結果が判定条件に該当するか否かを判別する。状態判定部２４は、検出結果が判定条件に該当すると判断した場合には、注目する対象の状態が通知すべき状態であると判定する。その場合に、状態判定部２４は、求めた通知情報を、通信情報生成部５に対して出力する。
【００６０】
以下の説明では、検出結果と条件情報２５とについて説明する。
【００６１】
検出結果は、少なくとも、検出部１０によって検出された情報（例えば、測定値）及び検出部１０を識別可能な情報を含む。尚、一例として、検出部１０を識別可能な情報としては、検出部１０の種別を表す種別情報を採用してもよい。
【００６２】
図３は、本発明の第２の実施形態における条件情報２５を具体的に例示する図である。
【００６３】
図３において、条件情報２５は、１列目に通知すべき情報を示す通知情報を示す。２列目は、検出部１０を識別可能な情報を示す。３列目は、通信情報を送信する条件を示す判定条件を示す。即ち、条件情報２５は、通知すべき情報を示す通知情報をキーとして、その通知情報、検出部１０を識別可能な情報及び通信情報を送信する条件を示す判定条件が関連付けられた情報を含む。
【００６４】
より具体的に、一例として、図３の２行目に示すように、通知情報は、「注目する対象の異常を検出した」ことを表すこととする。検出部１０は、例えば、モーションセンサ等を識別可能な情報「センサＡ」であることを表すこととする。判定条件としては、「所定の時間に亘って検出結果に変化が無い」ことを表すこととする。例えば、このような想定において、状態判定部２４は、「センサＡ」から得た検出結果が所定の時間に亘って変化が無いと判断した場合には、注目する対象の状態が通知すべき状態であると判定することとする。
【００６５】
このように、条件情報２５は、例えば、１つの通知情報に対して、複数の検出部１０と、それぞれの検出部１０に対応する判定条件とを含む構成を採用することとする。その結果、例えば、通信システム２１を管理する管理者は、通知情報毎に、検出部１０と、その検出部１０に対応する判定条件とのセットを設定することができる。即ち、管理者は、検出部１０と、検出部１０による検出結果等の通信装置２２が取得することの可能な各種情報との組み合わせによって、通知情報を自由に設定することができる。
【００６６】
対象判定部２６は、通信情報と端末情報２７とに基づいて、その通信情報に含まれる通知情報を提示すべきか否かを判定する。
【００６７】
より具体的に、対象判定部２６は、通信情報に含まれる通知情報に基づいて、通知情報と提示情報を提示すべき対象装置を識別可能な情報とが関連付けられた情報を含む端末情報２７を参照する。対象判定部２６は、通信情報に含まれる通知情報が端末情報２７の中に含まれるか否かを判別する。即ち、対象判定部２６は、当該通知情報が端末情報２７の中に存在するか否かを判別する。
【００６８】
対象判定部２６は、端末情報２７の中に当該通知情報が含まれると判断した場合には、次に示す処理を実行する。即ち、対象判定部２６は、端末情報２７の中に当該通知情報があると判断した場合には、端末情報２７の中から通知情報に関連付けられた対象装置を識別可能な情報を求める。対象判定部２６は、判定結果として求めた対象装置を識別可能な情報を、提示情報生成部２８に対して与える。
【００６９】
これによって、提示情報生成部２８は、対象判定部２６から得た対象装置を識別可能な情報に基づいて、提示情報を、ユーザが認識可能な態様によって、対象装置である通信端末２９に提示するよう提示部１１を制御する。その結果、対象装置２９は、注目する対象の状態に関する情報をユーザに提示することができる。
【００７０】
以下の説明では、端末情報２７について説明する。
【００７１】
図４は、本発明の第２の実施形態における端末情報２７を具体的に例示する図である。
【００７２】
図４において、端末情報２７は、１列目に通知すべき情報を示す通知情報を示す。２列目は、提示情報を提示すべき対象装置を識別可能な情報を示す。即ち、端末情報２７は、通知すべき情報を示す通知情報をキーとして、その通知情報及び提示情報を提示すべき対象装置を識別可能な情報が関連付けられた情報を含む。
【００７３】
以下の説明において、より具体的に、本実施形態における通信システム２１の動作について説明する。
【００７４】
以下の説明において、通信装置２２及び通信装置２３は、無線通信アクセスポイントとして、例えば、無線ＬＡＮ（Ｌｏｃａｌ  Ａｒｅａ  Ｎｅｔｗｏｒｋ）アクセスポイントを想定することとする。その場合に、通信情報は、例えば、無線ＬＡＮアクセスポイントである通信装置へ通信端末が接続するに際して必要な情報を含むビーコンを想定することとする。即ち、通信装置２２は、通信情報であるビーコンを、通信装置２３に対して出力することとする。
【００７５】
検出部１０は、親機である通信装置２２に帰属するセンサ機能を有する子機（以下、本願では、「センサ子機」と称する）であることとする。また、通信端末２９は、通信装置２３に帰属することとする。
【００７６】
尚、説明の便宜上、上述した構成を例に説明するが、本実施形態を例に説明する本発明は、前述した構成には限定されない（以下の実施形態においても同様）。
【００７７】
（通信装置２２が通信情報であるビーコンを送信する際の処理）
以下の説明では、通信装置２２がビーコンを通信装置２３に対して送信する際の処理（送信処理）について、図５に示すフローチャートを参照して説明する。
【００７８】
図５は、本発明の第２の実施形態における通信システム２１のうち一方の通信装置２２が通信情報を送信する際の動作を示すフローチャートである。係るフローチャートに沿って通信装置２２の動作手順を説明する。
【００７９】
検出部１０は、注目する対象の状態を示す検出結果を、通信装置２２に対して出力する。即ち、検出部１０は、測定値と検出部１０の種別を表す種別情報とを含む測定結果（検出結果）を、通信装置２２に対して送信する（ステップＳ１）。無線通信部６は、検出部１０から測定結果を受信する。無線通信部６は、受信した測定結果を、状態判定部２４に対して出力する（ステップＳ２）。
【００８０】
通信装置２２において、状態判定部２４は、検出部１０から無線通信部６を介して検出結果を受信するのをトリガとして、処理を開始する。即ち、状態判定部２４は、測定結果と条件情報２５とに基づいて、注目する対象の状態が通知すべき状態か否かを判定する。
【００８１】
より具体的に、状態判定部２４は、測定結果に含まれる測定値と検出部１０の種別を表す種別情報とを抽出する（ステップＳ３）。状態判定部２４は、条件情報２５を取得する（ステップＳ４）。
【００８２】
状態判定部２４は、測定結果に含まれる情報と条件情報２５に含まれる情報との比較結果に応じて、ビーコン（通信情報）を周囲に存在する通信装置２３に対して送信するか否かを判別する。即ち、状態判定部２４は、測定値と種別情報とに基づいて、条件情報２５を参照する。図３に示す２列目の識別情報を参照した結果、状態判定部２４は、条件情報２５の中に種別情報があるか否かを判別する。状態判定部２４は、条件情報２５の中に種別情報があると判断した場合に、条件情報２５の中から種別情報に関連付けられた判定条件と通知情報とを求める。状態判定部２４は、測定値が、求めた判定条件に該当するか否かを判別する（ステップＳ５）。
【００８３】
状態判定部２４は、測定値が、求めた判定条件に該当すると判断した場合に、処理をステップＳ６に進める。即ち、状態判定部２４は、ビーコンを送信すると判断した場合に、処理をステップＳ６に進める（ステップＳ５において「ＹＥＳ」）。状態判定部２４は、通信情報生成部５に対してビーコンを生成するよう要求（依頼）する。即ち、状態判定部２４は、ステップ５において求めた通知情報を、通信情報生成部５に対して出力する（ステップＳ６）。
【００８４】
通信情報生成部５は、ビーコンを生成する（ステップＳ７）。より具体的に、通信情報生成部５は、状態判定部２４から通知情報を受信する。また、通信情報生成部５は、受信した通知情報と、通知情報を通知する通知者を示す情報とを定義する。即ち、通信情報生成部５は、通知情報と、通信情報を送信する通信装置２２（自装置）を識別可能な情報とを定義する。通信情報生成部５は、定義した情報を、例えば、ビーコンフレームのデータ部に含めることによってビーコンを生成することとする。通信情報生成部５は、生成したビーコンを無線通信部６に対して出力する。
【００８５】
無線通信部６は、通信情報生成部５から得たビーコンを、通信可能な範囲内に送信する。即ち、無線通信部６は、ビーコンを、第１の無線通信ネットワークに送出する（ステップＳ８）。
【００８６】
これにより、通信装置２２の無線通信部６が通信可能な範囲内に位置する通信装置２３は、通信装置２２からビーコンを受信することができる。また、通信装置２３は、例えば、ビーコンに含まれる通知者を示す情報によって、自装置がビーコンを受信する対象装置であるか否かを判別する構成を採用してもよい。
【００８７】
（通信装置２３が通信情報であるビーコンを受信した際の処理）
以下の説明では、通信装置２３がビーコンを受信した際の処理（提示処理）について、図６に示すフローチャートを参照して説明する。
【００８８】
図６は、本発明の第２の実施形態における通信システム２１のうち他方の通信装置２３が通信情報を受信した際の動作を示すフローチャートである。係るフローチャートに沿って通信装置２３の動作手順を説明する。
【００８９】
通信装置２３において、無線通信部８は、通信装置２２からビーコンを受信する。即ち、無線通信部８は、第１の無線通信ネットワークに送出されたビーコンを受信する。無線通信部８は、受信したビーコンを対象判定部２６に対して出力する（ステップＳ１１）。
【００９０】
対象判定部２６は、無線通信部８からビーコンを受信するのに応じて、処理を開始する。即ち、対象判定部２６は、ビーコンと端末情報２７とに基づいて、ビーコンに含まれる通知情報を、提示すべきか否かを判定する。
【００９１】
より具体的に、対象判定部２６は、ビーコンに含まれる通知情報を抽出する（ステップＳ１２）。対象判定部２６は、端末情報２７を取得する。即ち、対象判定部２６は、要求に対するリプライとして端末情報２７を取得する（ステップＳ１３）。
【００９２】
対象判定部２６は、ビーコンに含まれる通知情報に基づいて、端末情報２７を参照する。対象判定部２６は、通知情報が端末情報２７の中に存在するか否かを判別する。換言すると、対象判定部２６は、注目する対象の状態に関する情報を、どの対象装置に提示するか否かを判別する（ステップＳ１４）。
【００９３】
対象判定部２６は、端末情報２７の中に通知情報が存在すると判断した場合には、処理をステップＳ１５に進める（ステップＳ１４において「ＹＥＳ」）。対象判定部２６は、端末情報２７の中から通知情報に関連付けられた対象装置を識別可能な情報を求める。対象判定部２６は、求めた対象装置を識別可能な情報を、提示情報生成部２８に対して出力する（ステップＳ１５）。
【００９４】
提示情報生成部２８は、対象判定部２６から対象装置を識別可能な情報を受信する。提示情報生成部２８は、通知情報に基づいて、提示部１１が提示可能なように注目する対象の状態に関する情報を表す提示情報を生成する。提示情報生成部２８は、生成した提示情報を、ユーザが認識可能な態様によって対象装置である通信端末２９に提示するよう提示部１１を制御する（ステップＳ１６）。
【００９５】
提示部１１は、提示情報を無線通信部８に対して出力する（ステップＳ１７）。無線通信部８は、提示部１１から得た提示情報を、対象装置である通信端末２９に対して送信する（ステップＳ１８）。
【００９６】
これにより、通信端末２９は、提示情報を、ユーザに対して提示することができる。例えば、注目する対象が高齢者の場合に、通信端末２９は、提示情報として高齢者の健康状態に関する情報を、ユーザに対して提示する構成を採用してもよい。或いは、例えば、注目する対象が住宅の場合には、通信端末２９は、提示情報として住宅において火災が発生したことを示す情報を、ユーザに対して提示する構成を採用してもよい。但し、本実施形態を例に説明する本発明は、前述した構成には限定されない（以下、各実施形態においても同様）。
【００９７】
このように本実施の形態に係る通信システム２１によれば、第１の実施形態において説明した効果を享受できると共に、さらに、より精度よく情報を提示することができる。
【００９８】
その理由は、通信装置２２は、条件情報２５と、検出部１０によって検出された検出結果と条件情報２５とに基づき注目する対象の状態が通知すべき状態か否かを判定する状態判定部２４とを、さらに備えるからである。これによって、管理者は、検出部１０、その検出結果及び判定条件の組み合わせに応じて、様々な通知情報を設定することができるからである。また、通信装置２３は、端末情報２７と、通信情報とに基づき情報を提示すべきか否かを判定する対象判定部２６とを、さらに備えるからである。これによって、通信装置２３は、自装置に帰属する複数の対象装置のうち、提示情報を提示すべき対象装置だけに提示情報を提示する。即ち、通信装置２３は、情報を必要とするユーザだけに提示情報を提示することができるからである。
【００９９】
＜第３の実施形態＞
次に、上述した本発明の第２の実施形態に係る通信システム２１を基本とする第３の実施形態について説明する。以下の説明においては、本実施形態に係る特徴的な部分を中心に説明する。その際、上述した各実施形態と同様な構成については、同一の参照番号を付すことにより、重複する説明は省略する。
【０１００】
本発明の第３の実施形態における通信システム３１について、図５乃至図８を参照して説明する。
【０１０１】
図７は、本発明の第３の実施形態における通信システム３１の構成を示すブロック図である。
【０１０２】
図７において、通信システム３１は、第１の通信装置である通信装置３２、第２の通信装置である通信装置３３及び第３の通信装置である通信装置３４を有する。通信装置３２、通信装置３３及び通信装置３４は、互いに異なる無線通信ネットワークを構成することとする。即ち、通信装置３２は、第１の無線通信ネットワークを構成することとする。また、通信装置３３は、第２の無線通信ネットワークを構成することとする。通信装置３４は、第３の無線通信ネットワークを構成することとする。
【０１０３】
通信装置３２は、状態判定部２４、通信情報生成部（第２の通信情報生成部）３６、無線通信部６及び条件情報２５を備える。
【０１０４】
通信装置３３は、対象判定部２６、端末情報２７、提示情報生成部２８、転送判定部３５、通信情報生成部３６、無線通信部８及び提示部１１を備える。
【０１０５】
通信装置３４は、第２の実施形態において説明した通信装置２３の構成と同様の構成を有することとする。そのため、重複する説明は省略する。
【０１０６】
図７において、検出部１０は、通信装置３２に帰属することとする。通信端末２９は、通信装置３３に帰属することとする。通信端末３７は、通信装置３４に帰属することとする。
【０１０７】
第２の通信情報生成部である通信情報生成部３６は、少なくとも、通信情報を転送すべき制限回数を示す転送情報を、さらに含む通信情報を生成する。即ち、通信情報生成部３６は、通知情報と、転送情報と、通知情報を通知する通知者を示す情報とを含む通信情報を生成する。
【０１０８】
より具体的に、一例として、通信情報生成部３６は、シーケンス番号を、通信情報を転送すべき制限回数を示す転送情報として定義する構成を採用してもよい。
【０１０９】
また、通信情報生成部３６は、後述する転送判定部３５が通信情報を転送すると判断した場合には、通信情報に含まれる転送情報を修正する。即ち、通信情報生成部３６は、転送情報が示す転送情報に基づいて、新たに制限回数を求める。より具体的に、一例として、通信情報生成部３６は、転送情報が示す制限回数をデクリメントする。通信情報生成部３６は、デクリメントすることによって求めた制限回数を示す転送情報と、通知情報と、通知情報を通知する通知者を示す情報とを含む通信情報を生成する。
【０１１０】
転送判定部３５は、通信情報に含まれる転送情報に基づいて、その通信情報を転送するか否かを判定する。即ち、転送判定部３５は、通信情報を、通信装置３３の通信可能な範囲内に位置する他の通信装置（例えば、図７に示す通信装置３４）に対して転送するか否かを判定する。
【０１１１】
より具体的に、転送判定部３５は、通信情報を転送する制限回数を示す転送情報が値「０」を示す場合に、通信情報を転送しないと判断する。一方で、転送判定部３５は、転送情報が値「１」以上を示す場合に、通信情報を転送すると判断する構成を採用してもよい。
【０１１２】
このように、通信情報を転送する制限回数に下限を設けることによって、通信システム３１は、通信情報を、複数の通信装置に対して繰り返し転送されることを防止することができる。
【０１１３】
尚、通信情報生成部３６は、転送情報が示す制限回数をインクリメントすることによって、制限回数を求めてもよい。その場合に、通信情報を転送する制限回数には、上限を設けることによって実現してもよい。
【０１１４】
以下の説明において、より具体的に、本実施形態における通信システム３１の動作について説明する。
【０１１５】
図８は、本発明の第３の実施形態における通信システム３１が通信情報を転送する動作を示すフローチャートである。係るフローチャートに沿って通信システム３１の動作手順を説明する。
【０１１６】
以下の説明において、通信装置３２、通信装置３３及び通信装置３４は、例えば、無線ＬＡＮアクセスポイントを想定することとする。その場合に、通信情報は、例えば、ビーコンを想定することとする。
【０１１７】
通信装置３２は、図５のステップＳ１乃至ステップＳ７に示す処理を実行することによって生成したビーコンを、通信装置３３に対して送信する（ステップＳ２１）。尚、図５に示すステップＳ１乃至ステップＳ７において実行する処理の説明は省略する。
【０１１８】
通信装置３３において、無線通信部８は、通信装置３２からビーコンを受信する。即ち、無線通信部８は、第１の無線通信ネットワークに送出されたビーコンを受信する。無線通信部８は、受信したビーコンを転送判定部３５に対して出力する（ステップＳ２２）。
【０１１９】
例えば、無線通信部８は、受信したビーコンを対象判定部２６に対して出力する構成を採用してもよい。これによって、通信装置３３は、図６のステップＳ１１乃至ステップＳ１８に示す処理を実行することができる。即ち、通信装置３３は、自装置に帰属する通信端末２９に対して提示情報を提示することができる。
【０１２０】
転送判定部３５は、無線通信部８からビーコンを受信するのに応じて、処理を開始する。即ち、転送判定部３５は、ビーコンに含まれる転送情報に基づいて、その通信情報を転送するか否かを判定する。
【０１２１】
より具体的に、転送判定部３５は、ビーコンに含まれる転送情報を抽出する（ステップＳ２３）。転送判定部３５は、転送情報に含まれるシーケンス番号に基づいて、ビーコンを転送するか否かを判別する（ステップＳ２４）。
【０１２２】
転送判定部３５は、判別した結果、ビーコンを転送すると判断した場合に、処理をステップＳ２５に進める（ステップＳ２４において「ＹＥＳ」）。一方で、転送判定部３５は、ビーコンを転送しないと判断した場合には、処理を終了する（ステップＳ２４において「ＮＯ」）。転送判定部３５は、通信情報生成部３６に対してビーコンを生成するよう要求（依頼）する（ステップＳ２５）。
【０１２３】
以下の説明において、シーケンス番号は、値「１」を示すこととする。そのため、転送判定部３５は、ビーコンを転送すると判断することとする。
【０１２４】
通信情報生成部３６は、転送判定部３５からの要求に応じて、ビーコンを改めて生成する。通信情報生成部３６は、生成したビーコンを無線通信部６に対して出力する（ステップＳ２６）。
【０１２５】
より具体的に、通信情報生成部３６は、転送情報が示す制限回数をデクリメントする。通信情報生成部３６は、デクリメントすることによって求めた制限回数を示す転送情報と、通知情報と、通知情報を通知する通知者を示す情報とを含むビーコンを生成する。
【０１２６】
以下の説明において、通信情報生成部３６は、シーケンス番号の値「１」をデクリメントする。これによって、シーケンス番号は、「０」となる。
【０１２７】
無線通信部８は、通信情報生成部３６から得たビーコンを、通信可能な範囲内に送信する（ステップＳ２７）。
【０１２８】
通信装置３４は、通信装置３３からビーコンを受信する。通信装置３４は、図６のステップＳ１１乃至ステップＳ１８に示す処理を実行する（ステップＳ２８）。
【０１２９】
シーケンス番号の値は「０」である。そのため、通信装置３３からビーコンを受信した通信装置３４は、ビーコンを転送することなく、通信端末３７に提示情報を提示することとなる。即ち、通信装置３４は、通信装置３２の通信可能な範囲内に存在しない場合であっても、その範囲内に位置する通信装置３３からビーコンを受信することができる。そのため、通信装置３４に帰属する通信端末３７は、提示情報を提示することができる。
【０１３０】
このように本実施の形態に係る通信システム３１によれば、各実施形態において説明した効果を享受できると共に、さらに、より広範囲において情報を提示することができる。
【０１３１】
その理由は、通信情報生成部３６は、通信情報を転送すべき制限回数を示す転送情報を、さらに含む通信情報を生成することができるからである。そして、転送判定部３５は、この転送情報に基づいて、通信情報を転送するか否かを判別することができるからである。
【０１３２】
例えば、上述した転送機能を用いない場合に、情報を提示することのできる範囲は、通信情報の送信元である通信装置３２の通信可能な範囲内に限定されてしまう。これに対して、通信システム３１は、当該転送機能を用いることによって、通信装置３２の通信可能な範囲内だけでなく、より広範囲において情報を提示することができるからである。
【０１３３】
＜第４の実施形態＞
次に、上述した本発明の第２の実施形態に係る通信システム２１を基本とする第４の実施形態について説明する。以下の説明においては、本実施形態に係る特徴的な部分を中心に説明する。その際、上述した各実施形態と同様な構成については、同一の参照番号を付すことにより、重複する説明は省略する。
【０１３４】
本発明の第４の実施形態における通信システム４１について、図９乃至図１１を参照して説明する。
【０１３５】
図９は、本発明の第４の実施形態における通信システム４１の構成を示すブロック図である。
【０１３６】
図９において、通信システム４１は、第１の通信装置である通信装置４２及び第２の通信装置である通信装置４３を有する。
【０１３７】
通信装置４２は、状態判定部２４、通信情報生成部（第３の通信情報生成部）４５、条件情報２５、無線通信部６及び第１の更新部４４を備える。通信装置４３は、対象判定部２６、端末情報２７、提示情報生成部２８、更新判定部４６、第２の更新部４７、無線通信部８及び提示部１１を備える。
【０１３８】
尚、説明の便宜上、図９では、検出部１０及び通信端末２９の図示を省略することとする。また、以下の説明において、条件情報２５と端末情報２７とに含まれる通知情報は、通信装置４２及び通信装置４３間において共有されていることとする。共有する手法については、一般的に知られた手法を採用することとする。そのため、詳細な説明は省略する。
【０１３９】
第１の更新部４４は、通知情報の更新（追加、更新及び削除）を要求されるのに応じて、その要求に基づき条件情報２５に含まれる通知情報を更新する。
【０１４０】
第３の通信情報生成部である通信情報生成部４５は、少なくとも、当該要求に基づく通知情報の更新内容を示す情報と、通信情報が通知情報の更新を指示する通知であることを示す更新通知情報とを含む通信情報を生成する。
【０１４１】
更新判定部４６は、通信情報生成部４５によって生成された通信情報に含まれる更新通知情報に基づいて、端末情報２７に含まれる通知情報を更新するか否かを判定する。
【０１４２】
第２の更新部４７は、更新判定部４６が通知情報を更新すると判断した場合には、通信情報に含まれる当該更新内容を示す情報に基づき端末情報２７に含まれる通知情報を更新する。
【０１４３】
以下の説明において、より具体的に、本実施形態における通信システム４１の動作について説明する。
【０１４４】
（条件情報２５の更新及び通信情報の送信する処理）
以下の説明では、通信装置４２が通知情報を更新するよう要求されるのに応じて、条件情報２５を更新する処理と、通信情報を送信する処理とについて、図１０に示すフローチャートを参照して説明する。
【０１４５】
図１０は、本発明の第４の実施形態における通信装置４２が通知情報を更新するよう要求された際の動作を示すフローチャートである。係るフローチャートに沿って通信装置４２の動作手順を説明する。
【０１４６】
例えば、ユーザは、更新端末５０を操作することによって、通知情報の更新を指示（命令）する。即ち、更新端末５０は、ユーザに操作されるのに応じて、通信装置４２に対して通知情報を更新するよう要求する。より具体的に、例えば、更新端末５０は、通知情報の更新内容を示す情報を含む要求情報を、通信装置４２に対して出力する構成を採用してもよい（ステップＳ３１）。
【０１４７】
但し、上述した例には限定されない。例えば、ユーザは、更新端末５０を操作することによって、通信装置４２にアクセスすると共に、通信装置４２に設けられた更新内容を入力可能なユーザインタフェースを操作することによって通知情報の更新を指示する構成を採用してもよい。
【０１４８】
通信装置４２において、無線通信部６は、更新端末５０から要求情報を受信する。無線通信部６は、受信した要求情報を、第１の更新部４４に対して出力する（ステップＳ３２）。
【０１４９】
第１の更新部４４は、無線通信部６から要求情報を受信する。第１の更新部４４は、要求情報に含まれる、通知情報の更新内容を示す情報を抽出する（ステップＳ３３）。
【０１５０】
より具体的に、一例として、要求情報は、少なくとも更新の対象である通知情報の更新内容を示す情報を含むこととする。但し、本実施形態を例に説明する本発明は、前述した構成には限定されない。要求情報は、例えば、当該更新内容を示す情報、検出部１０の種別情報及び判定条件のうち、少なくとも何れかの情報を含む構成を採用してもよい。
【０１５１】
第１の更新部４４は、抽出した当該更新内容を示す情報に基づいて、更新するよう条件情報２５を制御する。換言すると、第１の更新部４４は、当該更新内容を示す情報に基づいて、更新するよう更新命令を条件情報２５に対して出力する（ステップＳ３４）。第１の更新部４４は、条件情報２５から更新命令に対するリプライを受信する。これにより、第１の更新部４４は、条件情報２５の更新が完了したことを確認することができる（ステップＳ３５）。第１の更新部４４は、抽出した当該更新内容を示す情報を、通信情報生成部４５に対して出力する。即ち、第１の更新部４４は、当該更新内容を示す情報に基づいて、ビーコンを生成するよう通信情報生成部４５に対して要求（依頼）する（ステップＳ３６）。
【０１５２】
通信情報生成部４５は、少なくとも、当該更新内容を示す情報と、通信情報が通知情報の更新を指示する通知であることを示す更新通知情報とを含むビーコンを生成する（ステップＳ３７）。
【０１５３】
より具体的に、通信情報生成部４５は、当該更新内容を示す情報と、更新通知情報と、通知情報を通知する通知者を示す情報とを定義する。通信情報生成部４５は、定義した情報を、例えば、ビーコンフレームのデータ部に含めることによってビーコンを生成することとする。通信情報生成部４５は、生成したビーコンを無線通信部６に対して出力する。
【０１５４】
無線通信部６は、通信情報生成部４５から得たビーコンを、通信可能な範囲内に送信する（ステップＳ３８）。
【０１５５】
これによって、無線通信部６の通信可能な範囲内に位置する通信装置４３は、通信装置４２から送信された当該ビーコンを受信することができる。
【０１５６】
（通信装置４３が通信情報（ビーコン）を受信した際の処理）
以下の説明では、通信装置４３が通信情報を受信した際の処理について、図１１に示すフローチャートを参照して説明する。
【０１５７】
図１１は、本発明の第４の実施形態における通信装置４３が通信情報を受信した際の動作を示すフローチャートである。係るフローチャートに沿って通信装置４３の動作手順を説明する。
【０１５８】
通信装置４３において、無線通信部８は、通信装置４２からビーコンを受信する。即ち、無線通信部８は、第１の無線通信ネットワークに送出されたビーコンを受信する。無線通信部８は、受信したビーコンを更新判定部４６に対して出力する（ステップＳ４１）。
【０１５９】
更新判定部４６は、通信情報に含まれる更新通知情報に基づいて、端末情報２７に含まれる通知情報を更新するか否かを判定する。
【０１６０】
より具体的に、更新判定部４６は、ビーコンに含まれる当該更新内容を示す情報と更新通知情報とを抽出する（ステップＳ４２）。更新判定部４６は、更新通知情報に基づいて、端末情報２７を更新するか否かを判定する。即ち、更新判定部４６は、端末情報２７に含まれる通知情報を更新するか否かを判定する（ステップＳ４３）。
【０１６１】
更新判定部４６は、更新通知情報が通知情報の更新を指示する通知である場合に、端末情報２７を更新すると判断する。更新判定部４６は、処理をステップＳ４４に進める（ステップＳ４３において「ＹＥＳ」）。一方で、更新判定部４６は、当該更新内容を示す情報が通知情報の更新を指示する通知でない場合に、端末情報２７を更新しないと判断する。その場合に、更新判定部４６は、処理を終了する（ステップＳ４３において「ＮＯ」）。
【０１６２】
更新判定部４６は、端末情報２７の更新を要求する。即ち、更新判定部４６は、ステップＳ４２において抽出した当該更新内容を示す情報を、第２の更新部４７に対して出力する（ステップＳ４４）。
【０１６３】
第２の更新部４７は、更新判定部４６から当該更新内容を示す情報を受信する。第２の更新部４７は、当該更新内容を示す情報に基づいて、通知情報を更新するよう端末情報２７を制御する。換言すると、第２の更新部４７は、当該更新内容を示す情報に基づいて、更新するよう更新命令を端末情報２７に対して出力する（ステップＳ４５）。
【０１６４】
より具体的に、例えば、第２の更新部４７は、更新対象である通知情報を、通信装置４３に帰属する対象装置（例えば、図９に示す通信端末２９）のうち、どの対象装置に関連付けるかを決定する。一例として、第２の更新部４７は、通知情報が重要な情報である場合には、通知情報と、当該帰属する全ての対象装置を識別可能な情報とを関連付けて端末情報２７を更新するように制御する構成を採用してもよい。
【０１６５】
第２の更新部４７は、端末情報２７から更新命令に対するリプライを受信する。これにより、第２の更新部４７は、端末情報２７の更新が完了したことを確認することができる（ステップＳ４６）。
【０１６６】
このように本実施の形態に係る通信システム４１によれば、各実施形態において説明した効果を享受できると共に、さらに、条件情報２５と端末情報２７とに含まれる情報を、容易に更新することができる。
【０１６７】
その理由は、第１の更新部４４は、通知情報を更新するよう要求されるのに応じて、その要求に基づいて条件情報２５を更新する。また、通信情報生成部４５は、要求された更新内容を示す情報と、更新通知情報とを含む通信情報を生成することができるからである。更新判定部４６は、この通信情報に基づいて、端末情報２７を更新するか否かを判定する。また、第２の更新部４７は、更新判定部４６による判定結果に応じて、端末情報２７を更新することができるからである。このように、例えば、ユーザは、更新端末５０から情報の更新を要求するだけで、通信装置４２の通信可能な範囲内に位置する通信装置が有する端末情報２７を更新することができるからである。即ち、ユーザは、端末情報２７と端末情報２７とを、別々に更新する作業が不要となる。
【０１６８】
尚、通信システム４１は、第３の実施形態において説明した転送機能を有する構成を採用してもよい。これにより、ユーザは、より広範囲に端末情報２７の更新を指示することができる。
【０１６９】
（ハードウェア構成例）
上述した実施形態において図面（図１、図２、図７及び図９）に示した各部のうち、少なくとも状態判定部、通信情報生成部、対象判定部、提示情報生成部、転送判定部、第１の更新部、更新判定部及び第２の更新部は、ソフトウェアプログラムの機能単位（処理単位、ソフトウェアモジュール）と捉えることができる。
これらの各ソフトウェアモジュールは、専用のハードウェアによって実現してもよい。但し、これらの図面に示した各部の区分けは、説明の便宜上の構成であり、実装に際しては、様々な構成が想定され得る。この場合のハードウェア環境の一例を、図１２を参照して説明する。
【０１７０】
図１２は、各実施形態の通信システムにおいて、少なくとも状態判定部などの各部の機能を実行可能な情報処理装置（コンピュータ）３００のハードウェア構成を例示的に説明する図である。即ち、図１２は、コンピュータ（情報処理装置）の構成であって、上述した実施形態における各機能を実現可能なハードウェア環境を表す。このコンピュータは、次に示す各部の機能を実現可能である。
【０１７１】
・通信システム１を構成する通信装置２または通信装置３（図１）を構成する各部、
・通信システム２１を構成する通信装置２２または通信装置２３（図２）を構成する各部、
・通信システム３１を構成する通信装置３２または通信装置３３（図７）を構成する各部、
・或いは、通信システム４１を構成する通信装置４２または通信装置４３（図９）を構成する各部。
【０１７２】
図１２に示した情報処理装置３００は、以下の構成がバス（通信線）３０６を介して接続された一般的なコンピュータである。
【０１７３】
・ＣＰＵ（Ｃｅｎｔｒａｌ＿Ｐｒｏｃｅｓｓｉｎｇ＿Ｕｎｉｔ）３０１、
・ＲＯＭ（Ｒｅａｄ＿Ｏｎｌｙ＿Ｍｅｍｏｒｙ）３０２、
・ＲＡＭ（Ｒａｎｄｏｍ＿Ａｃｃｅｓｓ＿Ｍｅｍｏｒｙ）３０３、
・ハードディスク（記憶装置）３０４、
・外部装置との通信インタフェース（図１２において通信Ｉ／Ｆ（Ｉｎｔｅｒｆａｃｅ）と示す）３０５。
【０１７４】
そして、上述した実施形態を例に説明した本発明は、以下の手順によって達成される。即ち、図１２に示した情報処理装置３００に対して、係る実施形態において参照したブロック構成図（図１、図２、図７、図９）或いはフローチャート（図５、図６、図８、図１０、図１１）の機能を実現可能なコンピュータ・プログラムが供給される。その後、そのコンピュータ・プログラムは、当該ハードウェアのＣＰＵ３０１に読み出されて実行されることによって達成される。また、当該装置内に供給されたコンピュータ・プログラムは、読み書き可能な一時記憶メモリ（ＲＡＭ３０３）またはハードディスク３０４等の不揮発性の記憶デバイスに格納すれば良い。
【０１７５】
また、前記の場合において、当該ハードウェア内へのコンピュータ・プログラムの供給方法は、現在では一般的な手順を採用することができる。例えば、供給方法は、ＣＤ−ＲＯＭ等の各種記録媒体（不図示）を介して当該装置内にインストールする方法や、インターネット等の通信回線を介して外部よりダウンロードする方法等である。そして、このような場合において、本発明は、係るコンピュータ・プログラムを構成するコード、或いはそのコードが格納された記録媒体によって構成されると捉えることができる。
【０１７６】
以上、実施形態を参照して本発明を説明してきたが、本発明は上記実施形態に限定されるものではない。本発明の構成や詳細には、本発明のスコープ内で当業者が理解しうる様々な変更をすることができる。
【符号の説明】
【０１７７】
１    通信システム
２    通信装置
３    通信装置
４    状態判定部
５    通信情報生成部
６    無線通信部
７    提示情報生成部
８    無線通信部
１０    検出部
１１    提示部
２１    通信システム
２２    通信装置
２３    通信装置
２４    状態判定部
２５    条件情報
２６    対象判定部
２７    端末情報
２８    提示情報生成部
２９    通信端末
３１    通信システム
３２    通信装置
３３    通信装置
３４    通信装置
３５    転送判定部
３６    通信情報生成部
３７    通信端末
４１    通信システム
４２    通信装置
４３    通信装置
４４    第１の更新部
４５    通信情報生成部
４６    更新判定部
４７    第２の更新部
５０    更新端末
３００    情報処理装置
３０１    ＣＰＵ
３０２    ＲＯＭ
３０３    ＲＡＭ
３０４    ハードディスク
３０５    通信インタフェース
３０６    バス
【図１】
0006334476.tif 000002
【図２】
0006334476.tif 000003
【図３】
0006334476.tif 000004
【図４】
0006334476.tif 000005
【図５】
0006334476.tif 000006
【図６】
0006334476.tif 000007
【図７】
0006334476.tif 000008
【図８】
0006334476.tif 000009
【図９】
0006334476.tif 000010
【図１０】
0006334476.tif 000011
【図１１】
0006334476.tif 000012
【図１２】
0006334476.tif 000013